(57)【特許請求の範囲】
【請求項１】
コンピュータのプロセッサに、
製造現場において製造される完成品の一部を構成する部品の名称を示す第１の情報の入力を受け付けるステップと、
前記部品の製造工程の名称を示す第２の情報の入力を受け付けるステップと、
前記製造工程の様子を撮影した画像情報の入力を受け付けるステップと、
前記画像情報と、前記第１の情報と、前記第２の情報と、を関連付けるステップと、
前記画像情報を、前記第１の情報および前記第２の情報とともにユーザに対して提示す
るステップと、を実行させ、
前記画像情報を提示するステップにおいて、
前記第１の情報および前記第２の情報のうちのいずれか一方を行の項目として、他方を列の項目として、表の形式で前記画像情報を提示し、
前記表は、前記第１の情報および前記第２の情報のうち、いずれか一方が縦並びに配置された表側と、他方が横並びに配置された表頭と、により区画される複数のフレームにより構成され、
前記フレーム内には、前記第１の情報および前記第２の情報に該当する画像が複数表示されている、プログラム。
【請求項２】
前記プロセッサに、
ユーザから、前記フレーム上でのスクロール操作を受け付けるステップと、
前記スクロール操作に伴って、前記フレームに該当する他の画像情報を順次表示させるステップと、を実行させる請求項１に記載のプログラム。
【請求項３】
コンピュータのプロセッサに、
前記部品の製造工程毎の製造スケジュールを示すスケジュール情報の入力を受け付けるステップと、
前記スケジュール情報を参照し、前記画像情報を閲覧する操作に応答して、当該操作の時点で作業がされているべき製造工程を示す前記第２の情報を強調して表示するステップと、を実行させる、
請求項１又は２に記載のプログラム。
【請求項４】
前記第２の情報を強調して表示するステップにおいて、
前記表における前記第２の情報と対応するフレームに対して、インジケータを付することで、記第２の情報を強調して表示する、
請求項１から３のいずれか１項に記載のプログラム。
【請求項５】
コンピュータのプロセッサに、
前記部品の製造工程毎の製造スケジュールを示すスケジュール情報の入力を受け付けるステップと、
前記製造工程に対応付けられる画像情報が有する撮影日に関する撮影日情報に基づいて、当該製造工程に要した実績日数を算出するステップと、
前記スケジュール情報に定められた当該製造工程の予定日数を算出するステップと、
前記実績日数を、前記予定日数とともにユーザに対して提示するステップと、を実行させる、
請求項１から４のいずれか１項に記載のプログラム。
【請求項６】
前記画像情報を提示するステップにおいて、
コンピュータのプロセッサに、
前記画像情報が有する撮影日を、当該画像情報とともに表示させる、
請求項１から５のいずれか１項に記載のプログラム
【請求項７】
コンピュータのプロセッサに、
選択した前記第１の情報に該当する画像情報を、時系列に沿って一覧表示するステップを実行させる、
請求項１から６のいずれか１項に記載のプログラム。
【請求項８】
コンピュータのプロセッサに、
選択した前記第２の情報に該当する画像情報を、時系列に沿って一覧表示するステップを実行させる、
請求項１から７のいずれか１項に記載のプログラム。
【請求項９】
前記画像情報を関連付けるステップにおいて、
ユーザの操作に応答して、前記画像情報と、前記第１の情報と、前記第２の情報と、を関連付ける、
請求項１から８のいずれか１項に記載のプログラム。
【請求項１０】
前記部品とは、前記製造現場において、材料に対して少なくとも１つ以上の加工が施され、後工程において完成品の一部を構成するように用いられる中間生成物である、
請求項１から９のいずれか１項に記載のプログラム。
【請求項１１】
コンピュータのプロセッサが、
製造現場において製造される完成品の一部を構成する部品の名称を示す第１の情報の入力を受け付けるステップと、
前記部品の製造工程の名称を示す第２の情報の入力を受け付けるステップと、
前記製造工程の様子を撮影した画像情報の入力を受け付けるステップと、
前記画像情報と、前記第１の情報と、前記第２の情報と、を関連付けるステップと、
前記画像情報を、前記第１の情報および前記第２の情報とともにユーザに対して提示するステップと、を実行し、
前記画像情報を提示するステップにおいて、
前記第１の情報および前記第２の情報を、行および列の項目として表の形式で前記画
像情報を提示し、
前記表は、前記第１の情報および前記第２の情報のうち、いずれか一方が縦並びに配置された表側と、他方が横並びに配置された表頭と、により区画される複数のフレームにより構成され、
前記フレーム内には、前記第１の情報および前記第２の情報に該当する画像が複数表示されている、方法。
【請求項１２】
プロセッサとメモリとを備えるシステムであって、
前記プロセッサは、
製造現場において製造される完成品の一部を構成する部品の名称を示す第１の情報の入力を受け付け、
前記部品の製造工程の名称を示す第２の情報の入力を受け付け、
前記製造工程の様子を撮影した画像情報の入力を受け付け、
前記画像情報と、前記第１の情報と、前記第２の情報と、を関連付け、
前記第１の情報、および前記第２の情報が、項目となる管理表を作成し、
前記画像情報を、前記第１の情報および前記第２の情報とともにユーザに対して提示し、
前記画像情報を提示する際に、
前記第１の情報および前記第２の情報を、行および列の項目として表の形式で前記画
像情報を提示し、
前記表は、前記第１の情報および前記第２の情報のうち、いずれか一方が縦並びに配置された表側と、他方が横並びに配置された表頭と、により区画される複数のフレームにより構成され、
前記フレーム内には、前記第１の情報および前記第２の情報に該当する画像が複数表示されているように構成されているシステム。
【発明の詳細な説明】
【技術分野】
【０００１】
本発明は、プログラム、方法、及びシステムに関する。
【背景技術】
【０００２】
従来、製造現場における進捗の確認作業は、管理担当者が製造現場に訪れ、直接確認する方法が一般的であった。
下記特許文献１には、作業者がハンディターミナルを操作して、製造指示書、又は部品棚のバーコードを読み取り、部品の管理を行うシステムが開示されている。
【先行技術文献】
【特許文献】
【０００３】
【特許文献１】特開２００７−１６４４４６号公報
【発明の概要】
【発明が解決しようとする課題】
【０００４】
しかしながら、例えば製造現場が海外工場等の遠隔地にある場合には、進捗確認の作業に時間を要し、効率的な進捗確認を行うことに改善の余地があった。
【０００５】
本発明は、進捗確認の作業効率を向上することができるプログラムを提供することを目的とする。
【課題を解決するための手段】
【０００６】
本発明の一態様は、コンピュータのプロセッサに、製造現場において製造される完成品の一部を構成する部品の名称を示す第１の情報の入力を受け付けるステップと、部品の製造工程の名称を示す第２の情報の入力を受け付けるステップと、製造工程の様子を撮影した画像情報の入力を受け付けるステップと、画像情報と、第１の情報と、第２の情報と、を関連付けるステップと、画像情報を、第１の情報および第２の情報とともにユーザに対して提示するステップと、を実行させるプログラム。
【発明の効果】
【０００７】
本発明のプログラムによれば、進捗確認の作業効率を向上することができる。
【図面の簡単な説明】
【０００８】
【図１】システムの全体構成を示す図である。
【図２】プロセッサおよびメモリの構成を示す図である。
【図３】第１情報と第２情報の関係を示すデータ構造図である。
【図４】画像情報と関連付けられた情報の構造を示す図である。
【図５】画像情報とコメント情報を説明する図である
【図６】スケジュール情報の例を説明する図である。
【図７】管理表を示す図である。
【図８】管理表の変形例の第１例を示す図である。
【図９】管理表の変形例の第２例を示す図である。
【図１０】システムにおける処理フローの前半を説明する図である。
【図１１】入力操作画面を説明する図である。
【図１２】システムにおける処理フローの後半を説明する図である。
【発明を実施するための形態】
【０００９】
以下、本発明の一実施形態について、図面に基づいて詳細に説明する。なお、実施形態を説明するための図面において、同一の構成要素には原則として同一の符号を付し、その繰り返しの説明は省略する。
【００１０】
図１は、本実施形態に係るシステム１の全体構成を示す図である。
図１に示すように、システム１は、工場１００内の製造現場において、製造工程の進捗状態を管理するために用いられる製造工程の進捗管理システムである。
また、システム１は、製造工程の進捗管理の他に、不具合の発生状況およびその解決手段の共有、並びに製造現場における技術の伝承に用いることもできる。
【００１１】
具体的には、システム１は、製造現場の状態を撮影した撮影データ（以下、画像情報という）を、その属性（撮影日、部材名称、工程名称、撮影者、保存者）、および当該画像情報に対するユーザからのコメントとともに記憶して、各ユーザに共有するシステムである。
【００１２】
システム１のユーザとしては、製造現場における製造工程の進捗管理担当者、作業担当者、現場責任者の他、各部品の設計者等のように、製造現場の状況の把握が必要な者が挙げられる。
【００１３】
図１に示すように、システム１は、情報処理サーバ１０により構成されている。情報処理サーバ１０は、撮影装置１５、または撮影機能を備えた操作端末２０、３０と、ともに用いられる。
操作端末２０、３０は、ネットワーク５０を介して情報処理サーバ１０と接続されている。
図示の例では、操作端末として、スマートフォン２０とタブレット端末３０が用いられている。なお、スマートフォン２０とタブレット端末３０は、図示の例に限られず、複数台ずつ用いられてもよい。
【００１４】
スマートフォン２０とタブレット端末３０は、ネットワーク５０を介して通信接続されている。スマートフォン２０とタブレット端末３０は、ネットワーク５０を介してと情報処理サーバ１０と通信接続されている。
【００１５】
情報処理サーバ１０には、ユーザのアカウント情報が登録されている。情報処理サーバ１０内のデータは、ユーザのアカウント情報を入力することで、閲覧、編集することができる。アカウント情報は、ユーザを特定するためのユーザＩＤと、情報処理サーバ１０へのアクセスを許可するためのパスワードと、を含んでいる。
【００１６】
システム１は、例えば、スマートフォン２０、又はタブレット端末３０により操作することができる。また、システム１は、例えば、据え置き型のＰＣ（Personal  Computer）、ラップトップＰＣなどにより操作することができる。このように、操作端末として、撮影機能を有していない端末を使用する場合には、デジタルカメラ等の撮影装置１５により撮影した画像情報を、別途操作端末に入力することができる。
【００１７】
図１に示すように、情報処理サーバ１０は、出力部１１と、通信ＩＦ（Interface）１２と、入出力ＩＦ（Interface）１３と、メモリ１４と、ストレージ１５と、プロセッサ１６と、を備える。
【００１８】
情報処理サーバ１０は、５Ｇ、４Ｇ、ＬＴＥ（Long  Term  Evolution）などの通信規格に対応した無線基地局４０、ＩＥＥＥ（Institute  of  Electrical  and  Electronics  Engineers）８０２．１１などの無線ＬＡＮ（Local  Area  Network）規格に対応した無線ＬＡＮ６０等の通信機器と通信することによりネットワーク５０に接続されている。
【００１９】
出力部１１は、ユーザに提示するための情報を、スマートフォン２０又はタブレット端末３０のディスプレイに出力する。
通信ＩＦ１２は、情報処理サーバ１０が、スマートフォン２０又はタブレット端末３０と通信するための信号を入出力するためのインタフェースである。
【００２０】
入出力ＩＦ１３は、入力装置と出力装置を備えている。
入力装置は、入力操作を受け付けるための装置（例えば、タッチパネル、タッチパッド、マウス等のポインティングデバイス、キーボード等）である。出力装置は、情報を提示するための装置のうち、ディスプレイを除く装置であり、例えばスピーカ等が挙げられる。スマートフォン２０およびタブレット端末３０のような操作端末に代えて、入力装置により入力操作を行うこともできる。
【００２１】
メモリ１４は、プログラム、及び、プログラム等で処理されるデータ等を一時的に記憶するためのものであり、例えばＤＲＡＭ（Dynamic  Random  Access  Memory）等の揮発性のメモリ１４である。メモリ１４は、画像情報を記憶する。図２は、プロセッサ１６およびメモリ１４の構成を示す図である。図２に示すように、メモリ１４には、画像情報の他、第１の情報、第２の情報、予定日数情報、実績日数情報が記憶されている。
【００２２】
図１に示すように、ストレージ１５は、データを保存するための記憶装置であり、例えばフラッシュメモリ、ＨＤＤ（Hard  Disc  Drive）である。ストレージ１５には、プロセッサ１６で実行される各種のプログラムが記憶されている。これらのプログラムをプロセッサ１６が実行することで、後述するシステム１としての各種のステップが実行される。
【００２３】
プロセッサ１６は、プログラムに記述された命令セットを実行するためのハードウェアであり、演算装置、レジスタ、周辺回路などにより構成される。
【００２４】
プロセッサ１６の機能的な構成について説明する。
図２に示すように、プロセッサ１６は、ストレージ１５に記憶されるプログラムを実行することで、受付部１６Ａ、管理表作成部１６Ｂ、データ表示部１６Ｃ、日数算出部１６Ｄ、としての機能を実現する。
【００２５】
受付部１６Ａは、第１の情報の入力を受け付ける。第１の情報とは、製造現場において製造される完成品の一部を構成する部品の名称を示す情報である。
この説明において、部品とは、製造現場において、材料に対して少なくとも１つ以上の加工が施され、後工程において完成品の一部を構成するように用いられる中間生成物を指す。例えば、完成品がボイラである場合には、ボイラの一部を構成する構成物であって、少なくとも１つ以上の加工が施される要素部品（中間生成物）が部品に該当する。即ち、要素部品同士の連結に用いられる締結部材のように、入荷された状態で一切の加工を必要とせずに使用される部材は、この説明における部品には該当しない。例えば完成品がボイラである場合には、部品名称としては、燃焼室、バーナ、水管、煙管等が挙げられる。以下の説明では、部品名称として、部品１、部品２、…を用いる。
【００２６】
受付部１６Ａは、第２の情報の入力を受け付ける。第２の情報とは、部品の製造工程の名称を示す情報である。工程名称としては、例えば、材料入荷、部品切断、組み立て、溶接等である。工程名称としては、部品に必要な工程の名称を任意に入力することができる。
また、第２の情報には、各部品同士を組み立てて完成品とする組み立て工程を含んでもよい。
【００２７】
図３は、第１情報と第２情報の関係を示すデータ構造図である。図３に示すように、第１の情報である部品の名称毎に、第２の情報である工程部品が設定されている。すなわち、各部品によって、必要となる製造工程が異なるため、部品毎に必要な工程が設定され、入力される。
【００２８】
受付部１６Ａは、画像情報の入力を受け付ける。画像情報は、製造工程の様子を撮影した画像情報である。画像情報は、付帯情報として、撮影日、撮影端末、撮影者情報、保存者情報、データ容量等のメタ情報を含んでもよい。
【００２９】
画像情報には、コメント情報が関連付けられて記憶されている。コメント情報は、画像情報を閲覧したユーザが、当該画像に撮影された内容に関して、留意するべきことを記載した情報である。図５は、画像情報とコメント情報を説明する図である。
【００３０】
図５に示すように、画像情報に対して右上に表示されるコメント欄にユーザが入力した情報が、コメント情報とした右下にコメント情報として記載される。ユーザが、入力装置、又は操作端末１０、２０を操作して入力したコメント情報を、受付部１６Ａが受け付ける。
画像情報の右上には、第１情報、第２情報、撮影日の情報、および撮影者の情報が記載されている。なお、撮影者情報とともに、保存者情報を記載してもよい。保存者情報とは、撮影した画像データを、本システム１に写真を保存する作業を行った者を指す。
【００３１】
受付部１６Ａは、画像情報が入力された際に、画像情報と、第１の情報と、第２の情報と、を関連付ける。図４は、画像情報と関連付けられた情報の構造を示す図である。
図４に示すように、画像情報は、第１の情報および第２の情報と関連付けられている。すなわち、画像情報が、どの部品のどの工程の様子を撮影したものであるかという情報が、それぞれの画像情報と関連付けて記憶されている。なお、一つの部品の一つの工程に対して、複数の画像情報が記憶されていてよい。
【００３２】
各情報の関連付けは、ユーザの操作に応答して行われる。具体的には、ユーザが新たに画像情報を登録した後に、既に入力されている部品名称および第２の情報を選択することで、画像情報に対する第１の情報および第２の情報の対応付けが行われる。
【００３３】
また、例えば、撮影装置１５により撮影を行い、取得した複数の画像情報に対して、後述する管理表における所定のフレームに向けてドラッグ＆ドロップすることにより、第１の情報および第２の情報が選択されてもよい。
【００３４】
また、例えば、操作端末１０、２０により工程画像の撮影を行う前に、予め第１の情報および第２の情報の選択を行うことで、その後に取得した画像情報に対する第１の情報および第２の情報の対応付けを行ってもよい。
また、例えば、操作端末１０、２０により工程画像の撮影を行った後に、受付部１６Ａに入力した画像情報に対して、入力装置を操作して、第１の情報および第２の情報を指定することにより、第１の情報および第２の情報を選択してもよい。
また、例えば、操作端末１０、２０により工程画像の撮影を行った後に、受付部１６Ａに入力する前の画像情報に対して、操作端末１０、２０を操作して、第１の情報および第２の情報を予め指定しておくことにより、第１の情報および第２の情報を選択してもよい。
【００３５】
なお、各情報の関連付けは、ユーザの操作ではなく、受付部１６Ａの自動判別により行われてもよい。
この場合には、例えば、画像情報の取得に用いたスマートフォン１０の位置情報から、撮影が行われた場所を特定して、該当する部品名称、および工程名称を判断してもよい。また、例えば、新規の画像情報に対して、類似する過去の画像情報を用いた画像解析を行い、部品名称、および工程名称を判断してもよい。
【００３６】
受付部１６Ａは、部品の製造工程毎の製造スケジュールを示すスケジュール情報の入力を受け付ける。スケジュール情報は、予め定められている部品毎の製造スケジュール、および部品同士の組み立て作業に関するスケジュールを、ユーザが入力装置、又は操作端末から入力することで、受付部１６Ａに入力される。図６は、スケジュール情報の例を説明する図である。
【００３７】
図６に示すように、各部品について、製造工程毎のスケジュールが予め設定されている。ユーザは、この情報を、入力装置、又は操作端末を用いて情報処理サーバ１０に入力する。
スケジュール情報は、各品の工程毎に、開始予定日と終了予定日を設定することで入力される。図６の例では、部品１の材料入荷は５月１日に開始が予定され、５月１０日に終了が予定されている。スケジュール情報の入力の際は、全ての部品の全ての工程に対して、開始予定日と終了予定日を設定する。
【００３８】
本発明のシステム１は、画像情報を、第１の情報および第２の情報とともにユーザに対して提示する。この機能について説明する。
管理表作成部１６Ｂは、第１の情報、第２の情報が管理項目となる管理表を作成する。管理表は、第１の情報を行の項目、すなわち表側とし、第２の情報を列の項目、すなわち表頭として構成されている。そして、データ表示部１６Ｃは、画像情報を、管理表の管理内容、すなわち表体として表示する。図７は、管理表を示す図である。
【００３９】
図７に示すように、管理表では、部品名称が左端に表側として縦並びに配置され、工程名称がそれぞれのフレームの上端に表頭として横並びに配置されている。各フレームには画像情報の縮小画像が配列されている。ここで、左端の上段に位置するフレームを説明する。
各フレームでは、図示の例では、撮影日順に９枚の写真が表示されている。フレーム上にマウスのアイコンを配置した状態で下方に向けてスクロールをすると、他の写真が順次表示される。そして、いずれか１つを選択すると（図示の符号Ａ）、当該画像情報を表示する画面（図５参照）が表示される。なお、各フレームに表示される画像情報の枚数は任意に変更することができる。
【００４０】
本発明のシステム１は、スケジュール情報を参照し、画像情報を閲覧する操作に応答して、当該操作の時点で作業がされているべき製造工程を示す第２の情報を強調して表示する。この機能について説明する。
管理表作成部１６Ｂは、管理表に第２の情報を強調して表示する機能を有するインジケータ７０を付す。インジケータ７０は、ユーザにおける管理表の閲覧時の操作に応答して、スケジュール情報に即して作業がされているべき工程名称（第２の情報）に対応する管理表のフレームに付される表示である。図示の例では、インジケータ７０は、矩形状を呈している。
【００４１】
データ表示部１６Ｃは、インジケータ７０を表体に表示した状態で、管理表を表示する。
具体的に説明すると、図６に示すように、部材１の溶接１の工程は、５月２７日から６月３日となっている。そして、例えば６月１日に画像情報を閲覧すると、図７に示すように、部材１および部材２それぞれの溶接１の工程に該当するフレームに対して、インジケータ７０が付されている。
ここで、部材１については、溶接１のフレーム内に画像情報が保存されているので、概ね予定通り作業が進んでいることが確認できる。一方、部材２については、５月２７日に開始される予定の溶接１のフレーム内に、画像情報が一枚も保存されていないので、部材２の組み立て作業に遅れが生じていることが確認できる。
【００４２】
データ表示部１６Ｃは、画像情報を表示する際に、画像情報がメタファイルとして有する撮影日に関する情報を、画像情報とともに表示する。図７の例では、各画像情報の下端部Ｂに、撮影日が記載されている。
各画像情報の左下部には、コメント情報の有無を示すコメント表示Ｃが表示されている。このコメント表示Ｃが表示された画像情報は、コメント情報が保存されている。
【００４３】
日数算出部１６Ｄは、製造工程に対応付けられる画像情報が有する撮影日に関する撮影日情報に基づいて、当該製造工程に要した実績日数を算出する。具体的には、日数算出部１６Ｄは、第２の情報と対応づけられた一群の画像情報のうち、最も古い撮影日と、最も新しい撮影日と、の間の期間を、当該工程に要した実績日数とする。
【００４４】
日数算出部１６Ｄは、スケジュール情報に定められた当該製造工程の予定日数を算出する。具体的には、日数算出部１６Ｄは、スケジュール情報において、ある工程を行うために設定された期間を、当該工程の予定日数とする。
そして、データ表示部１６Ｃは、実績日数を予定日数とともに表示する。
【００４５】
また、データ表示部１６Ｃは、管理表の表示形態を変更することができる。図８は、管理表の変形例の第１例を示す図である。図９は、管理表の変形例の第２例を示す図である。
図８に示すように、データ表示部１６Ｃは、選択した第１の情報に該当する画像情報を、時系列に沿って一覧表示することができる。図示の例では、部品として、部品１が選択されている。そしてこの場合には、部品１の各工程に関する画像情報が、時系列に沿って表示されている。
【００４６】
図９に示すように、データ表示部１６Ｃは、選択した第２の情報に該当する画像情報を、時系列に沿って一覧表示することができる。図示の例では、工程として、材料入荷が選択されている。そしてこの場合には、各部品の材料入荷に関する画像情報が、時系列に沿って表示されている。
【００４７】
＜システム１の処理の第１例＞
次に、システム１の処理について説明する。図１０は、システム１における処理フローの前半を説明する図である。図１１は、入力操作画面を説明する図である。図１２は、システムにおける処理フローの後半を説明する図である。
【００４８】
図１０に示すように、ユーザが、入力装置、又は操作端末を操作して、第１の情報の入力（Ｓ１０１）を行う。この際、ユーザは、工事名、およびユーザ登録等の初期設定も同時に行う。
ステップＳ１０１により入力された第１の情報を、プロセッサの受付部１６Ａが受け付ける処理を実行する（Ｓ２０１）。
【００４９】
ステップＳ２０１の後に、ユーザが、入力装置、又は操作端末を操作して、第２の情報の入力（Ｓ１０２）を行う。ステップＳ２０１により入力された第１の情報を、受付部１６Ａが受け付ける処理を実行する（Ｓ２０２）。ここまでの入力操作を行った画面を図１１に示す。
図１１に示すように、部品名称毎に、工程名称が設定されて入力される。部品により工程数がことなるため、部品毎に工程名称の数量は異なっていてもよい。部品名称、および工程名称の入力欄は、その数量を任意に追加することができる。
【００５０】
ステップＳ２０２の後に、ユーザが、入力装置、又は操作端末を操作して、スケジュール情報の入力（Ｓ１０３）を行う。ステップＳ１０３により入力されたスケジュール情報を、受付部１６Ａが受け付ける処理を実行する（Ｓ２０３）。
【００５１】
ステップＳ２０３の後に、ユーザが、入力装置、又は操作端末のカメラを操作して、工程画像を取得する（ステップＳ１０４）。ステップＳ１０４の後に、受付部１６Ａが、画像情報を受け付ける処理を実行する（Ｓ２０４）。
【００５２】
ステップＳ２０４の後に、受付部１６Ａが、画像情報に対して、部品名称および工程名称を関連付ける処理を実行する（Ｓ２０５）。
ステップＳ２０５の後に、管理表作成部１６Ｂが、管理表を作成する処理を実行する（Ｓ２０６）。
【００５３】
ステップＳ２０６の後に、データ表示部１６Ｃが、管理表を表示する処理を実行する（Ｓ２０７）。この際、データ表示部１６Ｃは、管理表にインジケータ７０を表示する。インジケータ７０は、ユーザが管理表を閲覧している日付と、スケジュール情報の日付と、を参照し、スケジュール情報において、閲覧日に該当する日付に作業が予定されている工程名称（第２の情報）に対応するフレームを囲むように表示される。なお、インジケータ７０は矩形状の表示である必要はなく、その表示形態は任意に変更することができる。例えば、インジケータ７０は円形状や直線状に示してもよいし、矢印等の記号により示してもよい。
【００５４】
次に、図１２に示すように、ユーザが、、入力装置、又は操作端末を使用して、スケジュールの予実を表示させるための指示を行う（Ｓ１０５）。ステップＳ１０６の後に、日数算出部１６Ｄは、スケジュール予実の算出を行う処理を実行する（Ｓ２０８）。
ステップＳ２０８の後に、データ表示部１６Ｃは、スケジュールの予定日数と、実際に作業に要した日数の出力を行う（Ｓ２０９）。
【００５５】
以上、説明したように、本発明によれば、部品の製造工程の様子を撮影した画像情報を、第１の情報および第２の情報が項目となる管理表における管理内容として体系的に表示する。
このため、納期管理担当者が、管理表に表示された画像情報を確認することで、各部品における各工程の進捗状況を即座に把握することができる。
【００５６】
そして、例えば、当該担当者が現地に出向いて進捗状況を確認するような作業を省くことができ、進捗確認の作業効率を向上することができる。
また、関係者に管理表を共有することで、進捗状況の一覧性を確保して、関係者間で進捗状況を円滑に共有することができる。
また、例えば製造現場における実際の加工方法に対する理解の乏しい設計者等に対して、当該加工方法の様子を、画像情報を用いて伝えることで、技術伝承の役割を果たすこともできる。
また、製造現場の画像情報が、部材の名称、および工程の名称で整理されることで、現場を一度も見たことが無い設計者が、過去の製造実績の様子を、システム１を用いて確認することができる。これにより、当該製造現場における製造プロセスを円滑に理解することができる。
【００５７】
また、システム１は、管理表の工程名称に対して、管理表の閲覧時を示すインジケータ７０を表示する。このため、インジケータ７０が示された工程名称に該当する画像情報が保存されているかどうかを確認することで、スケジュールが予定通り進んでいるかどうかを容易に確認することができる。これにより、進捗確認の作業効率をより一層向上することができる。
【００５８】
また、システム１は、製造工程に要した実績日数を、予め登録された製造工程の予定日数とともに表示する。このため、スケジュールに対してどの程度の遅れが生じたか等の予実の確認を容易に行うことができる。
またこれにより、これまで把握が困難であった製造現場における生産能力を、部品毎、工程毎に正確に把握して、データベースとして蓄積することが可能になる。
【００５９】
また、管理表作成部１６Ｂが、第１の情報を行の項目とし、第２の情報を列の項目として、管理表を作成する。このため、管理表において、各部品名称を縦に並べた状態で、工程名称が横に並ぶ状態となり、管理表の一覧性を確保することができる。
【００６０】
また、データ表示部１６Ｃが、画像情報が有する撮影日を、当該画像情報とともに表示する。このため、工程画像を取得した日付を容易に確認することができる。
【００６１】
また、データ表示部１６Ｃは、選択した第１の情報に該当する画像情報を、時系列に沿って一覧表示する。このため、ある部品の製造工程での経過を確認したい際の利便性を確保することができる。
【００６２】
また、データ表示部１６Ｃは、選択した第２の情報に該当する画像情報を、時系列に沿って一覧表示する。このため、ある工程に関する各部品の状態を確認する際の利便性を確保することができる。
【００６３】
＜変形例＞
次に、変形例について説明する。
上記実施形態では、プログラムが、製造工場１００内の製造現場で使用される例を示したが、このような例に限られない。プログラムは、例えば建築現場等の屋外で用いられてもよい。このような場合には、第１の情報に代えて、施工の内容を示す施工名称情報を採用してもよい。
【００６４】
上記実施形態における処理の流れは、矛盾しない範囲で変更可能である。例えば、第２の情報を第１の情報の前に入力してもよいし、工程画像を最初に取得してもよい。
【００６５】
上記実施形態では、第１の情報を行の項目、すなわち表側とし、第２の情報を列の項目、すなわち表頭として、管理表を作成する構成を示したが、このような態様に限られない。第１の情報を列の項目、すなわち表頭とし、第２の情報を行の項目、すなわち表側として、管理表を作成してもよい。
【００６６】
上記実施形態では、閲覧時に作業がされているべき製造工程を示す第２の情報を、インジケータ７０により強調して表示する構成を示したが、このような態様に限られない。
例えば、インジケータ７０を用いることなく、該当する第２の情報が明るく表示されるような態様により、該当する第２の情報を強調表示してもよい。また、該当する第２の情報のフレームに含まれる画像情報を明るく表示してもよい。また、該当する第２の情報を点滅させるような態様により、該当する画像情報を強調表示してもよい。
【００６７】
以上、本開示の好ましい実施形態について説明したが、本開示は係る特定の実施形態に限定されるものではなく、本開示には、特許請求の範囲に記載された発明とその均等の範囲が含まれる。
また、上記実施形態及び変形例で説明した装置の構成は、技術的な矛盾が生じない限り、適宜組み合わせ可能である。
【符号の説明】
【００６８】
１  システム
１０  情報処理サーバ
２０  スマートフォン
３０  タブレット端末
５０  ネットワーク
１６  プロセッサ
１６Ａ  受付部
１６Ｂ  管理表作成部
１６Ｃ  データ表示部
１６Ｄ  日数算出部
【要約】
【課題】進捗確認の作業効率を向上することができるプログラムを提供する。
【解決手段】本発明は、コンピュータのプロセッサに、製造現場において製造される完成品の一部を構成する部品の名称を示す第１の情報の入力を受け付けるステップと、部品の製造工程の名称を示す第２の情報の入力を受け付けるステップと、製造工程の様子を撮影した画像情報の入力を受け付けるステップと、画像情報と、第１の情報と、第２の情報と、を関連付けるステップと、画像情報を、第１の情報および第２の情報とともにユーザに対して提示するステップと、を実行させるプログラム。
【選択図】図１【図１】
0006931439.tif 000002
【図２】
0006931439.tif 000003
【図３】
0006931439.tif 000004
【図４】
0006931439.tif 000005
【図５】
0006931439.tif 000006
【図６】
0006931439.tif 000007
【図７】
0006931439.tif 000008
【図８】
0006931439.tif 000009
【図９】
0006931439.tif 000010
【図１０】
0006931439.tif 000011
【図１１】
0006931439.tif 000012
【図１２】
0006931439.tif 000013